(57)【要約】【課題】貼り付けるインデックスラベルの間隔を容易に調節可能であって、貼り付け途中で異なるサイズのインデックスラベルを貼り付ける際にも所定の間隔で貼り付けることが可能なインデックス貼付補助具の提供。【解決手段】所定間隔で付された基準線５０を備え、インデックスラベルが貼り付けられる用紙の端部に固定される補助具本体２と、インデックスラベルの外形に対応させて切り欠いた形状の凹部４０と、凹部４０に隣接する位置に所定間隔で付された貼り付け位置自由線４２とを有するゲージ４を備え、ゲージ４の凹部４０に隣接する位置に所定間隔で付された貼り付け位置自由線４２を、すでに貼り付けられているインデックスラベルの端辺に合わせることにより、この貼り付け位置自由線４２からゲージ４の凹部４０の端辺までの距離だけ間隔を空けて次のインデックスラベルを貼り付けることが可能となる。【選択図】図６
2008018699.tif 000002
【特許請求の範囲】
【請求項１】
所定間隔で付された基準線を備え、インデックスラベルが貼り付けられる用紙の端部に固定される補助具本体と、
前記インデックスラベルの外形に対応させて切り欠いた形状の凹部と、前記基準線と一致させる基準部と、前記凹部に隣接する位置に所定間隔で付された貼り付け位置自由線とを有するゲージと
を備えたインデックス貼付補助具。
【請求項２】
前記補助具本体は、一端辺が互いに接続され、この接続部の一部に切欠部が設けられた上シートおよび下シートから構成され、当該上シートおよび下シート間に前記インデックスラベルが貼り付けられる用紙を挟持することにより固定するものであり、
前記基準線は、前記接続部の端辺に並行して所定間隔で付されたものであり、
前記ゲージは、前記補助具本体の切欠部に配置され、前記接続部の端辺に並行してスライド可能なものである
請求項１記載のインデックス貼付補助具。
【請求項３】
前記上シート上に前記ゲージをスライド可能に保持するガイド溝を有するベースプレートを備えた請求項２記載のインデックス貼付補助具。
【請求項４】
前記基準線は、前記ベースプレート上に着脱可能な基準線プレート上に付されたものである請求項３記載のインデックス貼付補助具。
【請求項５】
前記下シート上に前記接続部の端辺に直交する辺を有する直交基準プレートを備えた請求項２から４のいずれかに記載のインデックス貼付補助具。
【請求項６】
前記ゲージは、前記インデックスラベルのサイズに合わせて交換可能に形成されたものである請求項１から５のいずれかに記載のインデックス貼付補助具。
【発明の詳細な説明】
【技術分野】
【０００１】
本発明は、書類や資料等の用紙の所望の位置へのインデックスラベルの貼り付けを正確かつ容易に行えるインデックス貼付補助具に関する。
【背景技術】
【０００２】
従来、書類や資料等の用紙の端縁領域に貼り付けられ、見出しとして使用されるインデックスラベルが広く利用されている。このインデックスラベルは、剥離紙に貼り付けられるとともに、中央部で二つ折り可能な見出し片を備えたものが一般的である（例えば、特許文献１参照。）。インデックスラベルを複数枚貼り付ける際は、インデックスラベルが同じ部分で重ならないように、ずらしながら貼り付けるようにする。
【０００３】
ところが、このインデックスラベルの貼り付け作業は目測により行うため、上手く等間隔で貼り付けることができず、ばらつきが発生したり、斜めになったりして見栄えが悪くなることが多い。このようなインデックスラベルの貼り付け作業を容易にするものとして、例えば特許文献２に記載のインデックス貼付補助具が開発されている。
【０００４】
このインデックス貼付補助具は、紙葉類の一端辺へ係合可能な係合部と、取扱いの際、指で把持する把持部と、把持部の下部に設けられた切欠部と、端辺と直交する紙葉類の他の端辺に沿って配列される目印となる目盛とを備えている。目盛りはインデックスラベルの縦寸法を一単位として設けられている。このインデックス貼付補助具は、対象物との係合部を備えることにより、補助具の対象物への位置決めと固定とが簡単にかつ正確に行え、それぞれの目盛にインデックスを合わせることで、重ならないように貼り付けることができるというものである。
【０００５】
【特許文献１】特開２００３−１５９８９２号公報
【特許文献２】特開２００５−２８８７９５号公報
【発明の開示】
【発明が解決しようとする課題】
【０００６】
ところが、上記インデックス貼付補助具では、インデックスラベルをその縦寸法を一単位として設けられた目盛に合わせて貼り付けるものであるため、このインデックス貼付補助具に予め設けられた目盛の間隔でしかインデックスラベルを貼り付けることができない。また、異なる縦寸法のインデックスラベルを貼り付ける場合には、そのインデックスラベルの縦寸法に対応するインデックスラベル補助具を用いなければならず、インデックスラベルの貼り付け途中で異なる縦寸法のインデックスラベルを貼り付けたい場合には対応することができない。
【０００７】
そこで、本発明においては、貼り付けるインデックスラベルの間隔を容易に調節可能であって、貼り付け途中で異なるサイズのインデックスラベルを貼り付ける際にも所定の間隔で貼り付けることが可能なインデックス貼付補助具を提供することを目的とする。
【課題を解決するための手段】
【０００８】
本発明のインデックス貼付補助具は、所定間隔で付された基準線を備え、インデックスラベルが貼り付けられる用紙の端部に固定される補助具本体と、インデックスラベルの外形に対応させて切り欠いた形状の凹部と、凹部に隣接する位置に所定間隔で付された貼り付け位置自由線とを有するものである。
【０００９】
本発明のインデックス貼付補助具によれば、インデックスラベルを貼り付ける用紙の端部に補助具本体を固定して、この補助具本体の基準線とゲージの基準部とを一致させることにより順次位置決めし、このゲージの凹部にインデックスラベルを合わせるようにして貼り付けることにより、ゲージの凹部を通じて、インデックスラベルを所定間隔で貼り付けることができる。また、貼り付けるインデックスラベルの間隔を調整したい場合や貼り付け途中で異なるサイズのインデックスラベルを貼り付けたい場合には、ゲージの凹部に隣接する位置に所定間隔で付された貼り付け位置自由線を、既に貼り付けられているインデックスラベルの端辺に合わせることにより、この貼り付け位置自由線からゲージの凹部の端辺までの距離だけ間隔を空けて次のインデックスラベルを貼り付けることが可能となる。
【００１０】
ここで、本発明のインデックス貼付補助具は、補助具本体が、一端辺が互いに接続され、この接続部の一部に切欠部が設けられた上シートおよび下シートから構成され、当該上シートおよび下シート間にインデックスラベルが貼り付けられる用紙を挟持することにより固定するものであり、基準線が、接続部の端辺に並行して所定間隔で付されたものであり、ゲージが、補助具本体の切欠部に配置され、接続部の端辺に並行してスライド可能なものであることが望ましい。
【００１１】
これにより、本発明のインデックス貼付補助具は、用紙の端辺を上シートおよび下シートの接続部の端辺に当接させて位置決めを行い、補助具本体の上シートおよび下シートの間にインデックスラベルを貼り付ける用紙を挟持、固定して使用することができる。また、用紙上のインデックスラベルを貼り付ける部分は、上シートおよび下シートに設けられた切欠部において露出するので、インデックスラベルを貼り付ける際には、上シートおよび下シートの接続部の端辺に並行してスライド可能なゲージを、このゲージの基準部と、接続部の端辺に並行して所定間隔で付された基準線と一致させることにより順次位置決めすることができる。そして、このゲージの凹部にインデックスラベルを合わせるようにして貼り付けることにより、ゲージの凹部を通じて、補助具本体の切欠部に露出した用紙上にインデックスラベルを所定間隔で貼り付けることができる。
【００１２】
また、本発明のインデックス貼付補助具は、上シート上にゲージをスライド可能に保持するガイド溝を有するベースプレートを備えたものであることが望ましい。これにより、ゲージをガイド溝に嵌め込んでスライドさせることにより、容易に位置決めすることが可能となる。
【００１３】
また、基準線は、ベースプレート上に着脱可能な基準線プレート上に付されたものであることが望ましい。これにより、様々なサイズのインデックスラベルに合わせて所定間隔にそれぞれ基準線が付された基準線プレートを交換することができ、多様なインデックスラベルに容易に対応することが可能となる。
【００１４】
また、本発明のインデックス貼付補助具は、下シート上に上シートとの接続部の端辺に直交する辺を有する直交基準プレートを備えたものであることが望ましい。これにより、用紙の端辺を上シートおよび下シートの接続部の端辺に当接させて位置決めを行う際、この直交基準プレートにも当接させて容易に位置決めを行うことが可能となる。
【００１５】
また、ゲージは、インデックスラベルのサイズに合わせて交換可能に形成されたものであることが望ましい。これにより、使用するインデックスラベルのサイズに合わせて選択したゲージを使用してインデックスラベルを貼り付けることが可能となる。
【発明の効果】
【００１６】
（１）所定間隔で付された基準線を備え、インデックスラベルが貼り付けられる用紙の端部に固定される補助具本体と、インデックスラベルの外形に対応させて切り欠いた形状の凹部と、基準線と一致させる基準部と、凹部に隣接する位置に所定間隔で付された貼り付け位置自由線とを有するゲージとを備えたことにより、ゲージの凹部に隣接する位置に所定間隔で付された貼り付け位置自由線を、すでに貼り付けられているインデックスラベルの端辺に合わせることにより、この貼り付け位置自由線からゲージの凹部の端辺までの距離だけ間隔を空けて次のインデックスラベルを貼り付けることが可能となり、貼り付けるインデックスラベルの間隔を容易に調節することが可能となるとともに、貼り付け途中で異なるサイズのインデックスラベルを貼り付ける際にも所定の間隔で貼り付けることが可能となる。
【００１７】
（２）補助具本体が、一端辺が互いに接続され、この接続部の一部に切欠部が設けられた上シートおよび下シートから構成され、当該上シートおよび下シート間にインデックスラベルが貼り付けられる用紙を挟持することにより固定するものであり、基準線が、接続部の端辺に並行して所定間隔で付されたものであり、ゲージが、補助具本体の切欠部に配置され、接続部の端辺に並行してスライド可能なものであることにより、用紙を補助具本体の上シートおよび下シートの間に挟持、固定したまま、ゲージをスライドさせ、このゲージの凹部を通じて、補助具本体の切欠部に露出した用紙上にインデックスラベルを所定間隔で順次貼り付けることができる。これにより、位置決めおよび固定が容易となり、インデックスラベルの貼り付け作業中のずれを防止することが可能となる。
【００１８】
（３）上シート上にゲージをスライド可能に保持するガイド溝を有するベースプレートを備えることにより、ゲージをガイド溝に嵌め込んでスライドさせて容易に位置決めすることが可能となり、作業性が向上する。
【００１９】
（４）基準線が、ベースプレート上に着脱可能な基準線プレート上に付されたものであることにより、様々なサイズのインデックスラベルに合わせて所定間隔にそれぞれ基準線が付された基準線プレートを交換することができ、多様なインデックスラベルに容易に対応することが可能となる。
【００２０】
（５）下シート上に上シートとの接続部の端辺に直交する辺を有する直交基準プレートを備えたことにより、用紙の端辺を上シートおよび下シートの接続部の端辺に当接させて位置決めを行う際、この直交基準プレートにも当接させて容易に位置決めを行うことが可能となる。これにより、用紙をより安定して挟持、固定することが可能となり、さらに、インデックスラベルの貼り付け作業中のずれを防止することが可能となる。
【００２１】
（６）ゲージが、インデックスラベルのサイズに合わせて交換可能に形成されたものであることにより、使用するインデックスラベルのサイズに合わせて選択したゲージを使用してインデックスラベルを貼り付けることが可能となり、多様なインデックスラベルに容易に対応することが可能となる。
【発明を実施するための最良の形態】
【００２２】
図１は本発明の実施の形態におけるインデックス貼付補助具の平面図、図２は図１のインデックス貼付補助具の一部拡大図、図３は図２のＡ−Ａ線断面図、図４は図１の補助具本体の一部省略展開図である。
【００２３】
図１から図４に示すように、本発明の実施の形態におけるインデックス貼付補助具１は、上シート２ａおよび下シート２ｂから構成され、インデックスラベルを貼り付ける用紙を挟持する補助具本体２と、上シート２ａ上に設けられたベースプレート３と、ベースプレート３上をスライド可能なゲージ４と、ベースプレート３上に着脱可能な基準線プレート５と、下シート２ｂ上に固定された直交基準プレート６とを備える。
【００２４】
補助具本体２の上シート２ａおよび下シート２ｂは、図４に示すように一端辺２０が違いに接続され、この接続部の一部に切欠部２１が設けられている。補助具本体２は端辺２０で折り返されて、上シート２ａが下シート２ｂの上に重なり合うようになっている。また、ベースプレート３上には、上シート２ａを容易に持ち上げ可能にするためのノブ７が設けられている。また、下シート２ｂの左上部分には、挟持した用紙を容易に交換可能にするための切欠部２２が形成されている。
【００２５】
また、ベースプレート３上には、ゲージ４をスライド可能に保持するガイド溝８と、基準線プレート５をセットするための溝９とを有する。ゲージ４および基準線プレート５は、貼り付けるインデックスラベルの規格（サイズ）に応じて交換することが可能である。なお、ガイド溝８および溝９は蟻溝となっており、ゲージ４およびガイド溝８の角部１０ａ，１０ｂ，１０ｃ，１０ｄと、基準線プレート５および溝９の角部１１ａ，１１ｂには、それぞれゲージ４および基準線プレート５の着脱を容易にするため、隙間を設けて空気層が形成されるようにしている。この隙間を空気が通過することで、ゲージ４および基準線プレート５のスライドがスムーズになる。
【００２６】
ゲージ４は、インデックスラベルの外形に対応させて切り欠いた形状の凹部４０を備える。図５はインデックスラベルの外形に対応して大きさの異なる凹部４０，４０ａ，４０ｂを備えたゲージ４，４ａ，４ｂの例を示している。凹部４０は、ゲージ４がガイド溝８に填め込まれた際に、補助具本体２の切欠部２１に位置する。また、ゲージ４上には、後述する基準線プレート５上の基準線５０，５１，５２，５３のいずれかと一致させることにより位置決めする基準部としての基準線４１を備える。なお、基準線４１に代えてゲージ４の上下端辺を基準部として使用することも可能である。
【００２７】
また、ゲージ４の凹部４０に隣接する位置には、所定間隔で付された貼り付け位置自由線４２が設けられている。図示例では、貼り付け位置自由線４２は、凹部４０の上端辺から１ｍｍ間隔で４本付されている。
【００２８】
基準線プレート５上には、上シート２ａおよび下シート２ｂの接続部の端辺２０に並行して所定間隔で付された基準線５０，５１，５２，５３を備える。基準線５０がＸｍｍ間隔で付されているとすると、基準線５１は最上位の基準線５０を基準としてＸ＋１ｍｍ間隔で、基準線５２はＸ＋２ｍｍ間隔で、基準線５３はＸ＋３ｍｍ間隔でそれぞれ付されている。すなわち、インデックスラベルの長さがＸｍｍの場合、ゲージ４の基準線４１を基準線５０に順次合わせてインデックスラベルを貼っていくと、隙間なく貼り付けることができる。また、基準線５１に順次合わせて貼っていくと、インデックスラベルを１ｍｍ間隔で貼り付けることが可能となる。なお、基準線５０と他の基準線５１，５２，５３とのギャップは任意に設定することが可能である。
【００２９】
また、下シート２ｂ上の直交基準プレート６の上辺６０は、上シート２ａおよび下シート２ｂの接続部の端辺２０に直交する。したがって、インデックスラベルを貼り付ける用紙を上シート２ａおよび下シート２ｂ間に挟持する際、用紙の２辺をそれぞれ端辺２０および上辺６０に当接させて位置合わせをすることができる。
【００３０】
上記構成のインデックス貼付補助具は、次のように使用する。まず、使用するインデックスラベルの規格に合ったゲージ４および基準線プレート５をセットする。そして、ノブ７を掴んで上シート２ａを開き、下シート２ｂ上にインデックスラベルを貼り付ける用紙を端辺２０および上辺６０の２辺に当接させて配置し、上シート２ａを閉じて固定する。
【００３１】
そして、基準線プレート５の基準線５０または基準線５１，５２，５３のいずれかにゲージ４の基準線４１を合わせてインデックスラベルの貼り付け位置を確定し、ゲージ４の凹部４０の２辺にインデックスラベルの２辺を接触合致させて用紙に貼り付ける。また、インデックスラベルの２段目以降は、基準線プレート５の次の基準線５０または基準線５１，５２，５３のいずれかにゲージ４の基準線４１を合わせて貼り進めることにより、一定の間隔でインデックスラベルを貼り付けることが可能である。
【００３２】
以上のように、本実施形態におけるインデックス貼付補助具１では、インデックスラベルを貼り付ける用紙を端辺２０および上辺６０の２辺に当接させて配置し、上シート２ａを閉じて固定することができ、かつ端辺２０に並行してスライドするゲージ４の凹部４０に合わせてインデックスラベルを貼り付けることができるので、インデックスラベルは斜めになることなく用紙に対して整然と並べて貼り付けることができる。
【００３３】
また、このインデックス貼付補助具１では、用紙を補助具本体２の上シート２ａおよび下シート２ｂの間に挟持、固定したまま、ゲージ４をスライドさせ、このゲージ４の凹部４０を通じて、補助具本体２の切欠部２１に露出した用紙上にインデックスラベルを所定間隔で順次貼り付けることができるので、連続してインデックスラベルの位置決めおよび固定が容易であり、インデックスラベルの貼り付け作業中のずれが防止できる。また、ゲージ４はガイド溝８によってスライドさせるので、容易に位置決めすることが可能であり、作業性が良い。
【００３４】
また、このインデックス貼付補助具１では、インデックスラベルのサイズに合わせて所定間隔にそれぞれ基準線５０，５１，５２，５３が付された基準線プレート５およびゲージ４を用いることで、多様な規格のインデックスラベルに対応することが可能である。
【００３５】
また、このインデックス貼付補助具１は、凹部４０に隣接する位置に所定間隔で付された貼り付け位置自由線４２を備えているので、貼り付けるインデックスラベルの間隔を調整したい場合や貼り付け途中で異なるサイズのインデックスラベルを貼り付けたい場合には、この貼り付け位置自由線４２を利用してインデックスラベルを貼り付けることが可能である。
【００３６】
図６は貼り付け位置自由線４２を利用してインデックスラベルを貼り付ける例を示している。図６に示すように既に貼り付けられているインデックスラベル７０の端辺７０ａに、ゲージ４の貼り付け位置自由線４２のいずれかを合わせることにより、この貼り付け位置自由線４２からゲージ４の凹部４０の端辺４３までの距離だけ間隔を空けて、次のインデックスラベル７１を貼り付けることが可能である。
【産業上の利用可能性】
【００３７】
本発明は、書類や資料等の用紙の所望の位置へのインデックスラベルの貼り付けを行うためのインデックス貼付補助具として有用である。
【図面の簡単な説明】
【００３８】
【図１】本発明の実施の形態におけるインデックス貼付補助具の平面図である。
【図２】図１のインデックス貼付補助具の一部拡大図である。
【図３】図２のＡ−Ａ線断面図である。
【図４】図１の補助具本体の一部省略展開図である。
【図５】インデックスラベルの外形に対応して大きさの異なる凹部を備えたゲージの例を示す図である。
【図６】貼り付け位置自由線を利用してインデックスラベルを貼り付ける例を示す図である。
【符号の説明】
【００３９】
１  インデックス貼付補助具
２  補助具本体
２ａ  上シート
２ｂ  下シート
３  ベースプレート
４  ゲージ
５  基準線プレート
６  直交基準プレート
７  ノブ
８  ガイド溝
９  溝
１０ａ，１０ｂ，１０ｃ，１０ｄ，１１ａ，１１ｂ  角部
２０  端辺
２１，２２  切欠部
４０，４０ａ，４０ｂ  凹部
４１  基準線
４２  貼り付け位置自由線
５０，５１，５２，５３  基準線
６０  上辺
７０，７１  インデックスラベル
【図１】
2008018699.tif 000003
【図２】
2008018699.tif 000004
【図３】
2008018699.tif 000005
【図４】
2008018699.tif 000006
【図５】
2008018699.tif 000007
【図６】
2008018699.tif 000008